(57)【特許請求の範囲】
【請求項１】
単一のモータの一方向の駆動を利用して一対の展開ローラを送り出し方向に回転させることで、自己現像処理型のフイルムユニットを加圧しながら送り出して前記フイルムユニットに内蔵した現像処理液の展開を行うインスタントカメラにおいて、
前記モータの他方向の駆動力を利用して撮影レンズを撮影光軸上に予め決められた少なくとも二位置の間で進退させるレンズ移動機構と、
前記レンズ移動機構に回転駆動を伝達するレンズ駆動伝達系と、
前記展開ローラに回転駆動を伝達するローラ駆動伝達系と、
前記モータの一方向への駆動が伝達されたときにはその駆動を前記ローラ駆動伝達系に伝達するローラ駆動系伝達位置に切り換わり、また前記モータの他方向への駆動が伝達されたときにはその駆動を前記レンズ駆動伝達系に伝達するレンズ駆動系伝達位置に切り換わるとともに、該カメラの外部から操作可能に設けられた操作部の操作に連係して前記ローラ駆動系伝達位置に切り換わる駆動切り換え機構と、
前記操作部の操作に応答して前記モータを他方向へ駆動させることで、前記送り出し方向とは逆の方向に前記展開ローラを回転させる駆動制御手段と、
を備えたことを特徴とするインスタントカメラ。
【請求項２】
前記駆動切り換え機構は、
前記モータの駆動が入力される太陽歯車と、
前記太陽歯車に噛合しながらその回転軸を中心に公転する一対の遊星歯車をもち、前記モータの一方向への駆動が前記太陽歯車に伝達されたときには前記一方の遊星歯車を前記ローラ駆動伝達系の入力ギヤに噛合させるローラ駆動系伝達位置に回転し、また前記モータの他方向への駆動が前記太陽歯車に伝達されたときには前記一方の遊星歯車を前記ローラ駆動伝達系の入力ギヤから離しかつ前記他方の遊星歯車を前記レンズ駆動伝達系の入力ギヤに噛合させるレンズ駆動系伝達位置に回転する腕部と、
前記腕部に設けられ前記操作部の操作に連係して押圧されて前記腕部を前記ローラ駆動系伝達位置に回転させる押圧部と、
を備えていることを特徴とする請求項１記載のインスタントカメラ。
【請求項３】
前記操作部は、複数のフイルムユニットを収納したフイルムパックが装填されるフイルムパック収納室の内部に配置されており、前記フイルムパック収納室用の蓋を開け、且つ前記フイルムパックが装填されていない状態のときに外部に露呈されることを特徴とする請求項１又は２記載のインスタントカメラ。
【請求項４】
前記レンズ移動機構は、前記モータの他方向の駆動のみを利用して、撮影レンズをもった移動筒をカメラボディの内部に収納した沈胴位置とこれから撮影光軸に沿って繰り出した撮影位置との間で往復移動させることを特徴とする請求項１ないし３いずれか記載のインスタントカメラ。
【発明の詳細な説明】
【０００１】
【発明の属する技術分野】
本発明は、自己現像処理型のフイルムユニットを装填して撮影を行うインスタントカメラに関するものである。
【０００２】
【従来の技術】
インスタントカメラは、大判の露光面をもったフイルムユニットを装填するため、カメラボディの輪郭が大きくなる。しかも、大判サイズの露光面に露光させるために撮影レンズの有効径を大きくし、且つ露光面から物体側に離した位置に撮影レンズを配置する必要がある。したがって、カメラボディから大径の撮影レンズを物体側に向けて突出させた輪郭形態となるので、携帯性が非常に悪い。
【０００３】
そこで、携帯性の良化を図るために、撮影レンズを内蔵したレンズボードを前方に突出した起立位置とこれからカメラボディの前面に倒伏させた倒伏位置との間で移動自在に折り畳めるようにしたタイプが提案されている（特開平４−１９４８２９号公報等）。
【０００４】
しかしながら、この折り畳みタイプのものは、構造が複雑で組み立て難く、しかも部品点数が多くなることから安価なインスタントカメラには採用しにくい面がある。そこで、撮影レンズを有した移動筒をカメラボディに収納した沈胴位置とこれから突出した撮影位置との間で移動させるレンズ移動機構を設けて安価でしかも携帯性を良好にすることが望まれている。
【０００５】
一方、インスタントカメラには、クロー部材の掻き出しによってフイルムパックから排出された露光済のフイルムユニットを加圧しながら送り出して現像処理液の展開を行う一対の展開ローラが設けられている。一対の展開ローラは、長期的に使用されるとローラ表面に現像処理液が付着し、そのまま使用すると現像処理液の展開にムラが生じる恐れがある。このような不都合を防止するために、前記公報記載のインスタントカメラでは、モータの正転駆動によってフイルムユニットを展開する方向に一対の展開ローラを回転させ、また、フイルムパック収納室に設けた操作部材の操作に応答して前記モータを逆転駆動させることでフイルムユニットを展開する回転方向とは逆に一対の展開ローラを回転させ、この逆転中にフイルムパック収納室の内部側から展開ローラの清掃を行うことができる。
【０００６】
【発明が解決しようとする課題】
このように、モータの正逆回転で一対の展開ローラを回動させるタイプのものに、前述したレンズ移動機構を備えることを考慮すると、展開ローラ駆動用のモータの他に、レンズ移動機構に駆動を伝達するためのモータが別途必要となり、コンパクト化、及びコストダウン化の妨げとなっていた。
【０００７】
本発明は、上記問題点を解決するためのもので、展開ローラの正転駆動、その逆転駆動、及びレンズ移動機構とを単一のモータで択一的に駆動させてコストダウン及び小型化を図ったインスタントカメラを提供することを目的とする。
【０００８】
【課題を解決するための手段】
上記目的を達成するために、本願発明のインスタントカメラでは、モータの他方向の駆動力を利用して撮影レンズを撮影光軸上に予め決められた少なくとも二位置の間で進退させるレンズ移動機構と；前記レンズ移動機構に回転駆動を伝達するレンズ駆動伝達系と；前記展開ローラに回転駆動を伝達するローラ駆動伝達系と；前記モータの一方向への駆動が伝達されたときにはその駆動を前記ローラ駆動伝達系に伝達するローラ駆動系伝達位置に切り換わり、また前記モータの他方向への駆動が伝達されたときにはその駆動を前記レンズ駆動伝達系に伝達するレンズ駆動系伝達位置に切り換わるとともに、該カメラの外部から操作可能に設けられた操作部の操作に連係して前記ローラ駆動系伝達位置に切り換わる駆動切り換え機構と；前記操作部の操作に応答して前記モータを他方向へ駆動させることで、前記送り出し方向とは逆の方向に前記展開ローラを回転させる駆動制御手段と；を備えたものである。
【０００９】
駆動切り換え機構としては、モータの駆動が入力される太陽歯車と；前記太陽歯車に噛合しながらその回転軸を中心に公転する一対の遊星歯車をもちモータの一方向への駆動が前記太陽歯車に伝達されたときには前記一方の遊星歯車をローラ駆動伝達系の入力ギヤに噛合させるローラ駆動系伝達位置に回転しまたモータの他方向への駆動が前記太陽歯車に伝達されたときには前記一方の遊星歯車をローラ駆動伝達系の入力ギヤから離しかつ他方の遊星歯車をレンズ駆動伝達系の入力ギヤに噛合させるレンズ駆動系伝達位置に回転する腕部と；前記腕部に設けられ前記操作部の操作に連係して押圧されて前記腕部を前記ローラ駆動系伝達位置に回転させる押圧部と；で構成するのが好適である。また、請求項１に記載の操作部を、複数のフイルムユニットを収納したフイルムパックが装填されるフイルムパック収納室の内部に配置するとともに、フイルムパック収納室用の蓋を開け、且つフイルムパックを装填していない状態のときに外部に露呈されるように設けてもよい。さらに、レンズ移動機構としては、撮影レンズをもった移動筒をカメラボディの内部に収納した沈胴位置とこれから撮影光軸方向に沿って繰り出した撮影位置との間で移動させるのが好適である。
【００１０】
【発明の実施の形態】
本発明を実施したインスタントカメラ２は、図２に示すように、カメラボディが正面から見て略矩形形状とされており、前面には突出した鏡筒部６が配置されている。鏡筒部６の前面には撮影レンズ５が露呈されている。
【００１１】
インスタントカメラ２のグリップ部には、シャッタボタン７、ストロボ発光窓８、及びファインダー対物窓９がそれぞれ設けられている。また、上面には、電源ボタン１０、フイルムカウンタ窓１１、及びフイルム排出口１２等が設けられている。フイルム排出口１２からは、現像中のフイルムユニットが排出される。
【００１２】
図３に示すように、インスタントカメラ２は、フイルムパック１５が装填されるフイルムパック収納室１６が背面側に形成され、各種撮影機能部品が取り付けられる本体基部１７と、この本体基部１７の周りを覆う外カバー１８とからなる。外カバー１８には、フイルムパック収納室１６を開閉する板形状の裏蓋１９がヒンジを介して開閉自在に取り付けられている。
【００１３】
フイルムパック１５は、箱形状に形成されたプラスチック製のケース２０と、このケース２０の中に複数枚が積層して収納されるフイルムユニット２１とから構成されている。フイルムユニット２１は、感光層及び受光層が層設された露光面２２と、現像処理液を封入した現像処理液ポッド２３と、この現像処理液ポッド２３から露光面２２上に流し込まれて余った現像処理液を捕捉するトラップ部２４とからなる。フイルムユニット２１は、最後まで１枚のシートとして取り扱うことができる長方形状をしたモノシートタイプとなっている。フイルムパック収納室１６の前面には、フイルムユニット２１への露光範囲を決定する露光開口２５が形成されている。
【００１４】
ケース２０の上面には、撮影済のフイルムユニット２１をケース２０の外に排出するスリット形状のフイルム出口２６が設けられている。このフイルム出口２６は、フイルムパック１５が未使用の際には、柔軟性のある遮光シール（図示なし）によって塞がれている。
【００１５】
また、本体基部１７の上端部には、一対の展開ローラ２７が組み込まれている。展開ローラ２７は、フイルムユニット２１の現像処理液ポッド２３を裂開して現像処理液ポッド２３に内蔵された現像処理液をフイルムユニット２１の内部に拡布する。
【００１６】
鏡筒部６には、レンズ移動機構２８が組み込まれている。レンズ移動機構２８は、図４に示すように、駆動筒２９、固定カム筒３０、中間筒３１、及び移動筒３２とから構成されている。駆動筒２９は、外周にギヤー部２９ａが形成されており、このギヤー部２９ａにモータの正転駆動が伝達されて一方向へのみ回転する。
【００１７】
固定カム筒３０には、内面に中間筒を進退させるカム溝３５が形成されている。カム溝３５は、光軸５ａを中心とする回転方向に連続して繋がって形成されている。
【００１８】
中間筒３１には、駆動ピン３６とカムピン３４とが光軸５ａに沿って並んで設けられている。カムピン３４は、カム溝３５に係合する。駆動ピン３６は、駆動筒２９の内面に形成した直線溝３７に係合し、駆動筒２９の回転駆動を中間筒３１に伝達する。したがって、中間筒３１は、カメラボディの内部に収納された沈胴位置とこれから光軸方向５ａの被写体側に向けて繰り出してカメラボディから突出した突出位置との間で進退する。なお、駆動筒２９の直線溝３７は、中間筒３１の進退を許容する長さで形成されている。
【００１９】
移動筒３２には、撮影レンズ５やシャッタ機構等が組み込まれており、また、外周には、カムピン３８が形成されている。カムピン３８は、中間筒３１の内面に形成されたカム溝３１ａに係合している。
【００２０】
固定カム筒３０には、Ｌ字状をした直進ガイド部材３０ａが設けられている。直進ガイド部材３０ａは、移動筒３２の回転止めを行っている。したがって、移動筒３２は、回転止めされた状態で、カメラボディの内部に収納された沈胴位置とこれから光軸方向５ａの被写体側に向けて繰り出してカメラボディから突出した突出位置との間で進退する。中間筒３１及び移動筒３２が突出位置のときには、撮影レンズ５が所定の被写体距離に合焦した状態となる。
【００２１】
図５に示すように、カム溝３９は、光軸５ａを中心とする回転方向に沿って環状に繋がって形成されている。カム溝３９は、駆動筒２９の一回転で中間筒３１を沈胴位置から突出位置を経由して再び沈胴位置に戻す一往復を３回行う軌跡となっている。中間筒３１は、カムピン３４がカム溝３５のうち同図に示すＡ位置のときに突出位置に、また、カムピン３４がカム溝３５のうちの同図に示すＢ位置のときに沈胴位置となる。なお。中間筒３１のカム溝３１ａも、前記カム溝３５と相似形状となっており、中間筒３１の一回転で移動筒３２を沈胴位置から突出位置を介して再び沈胴位置に戻す一往復を３回行う軌跡となっている。なお、固定カム筒３０の前端は、駆動ピン３６を逃がすために山形状に切り欠かれている。
【００２２】
図１に示すように、インスタントカメラ２の駆動系は、単一のモータ４０、レンズ駆動伝達系４１、ローラ駆動伝達系４２、クロー駆動伝達系４３、及び駆動切り換え機構４４とから構成されている。レンズ駆動伝達系４１は、駆動切り換え機構４４から得られるモータ４０の駆動を駆動筒２９のギヤー部２９ａに伝達する。ローラ駆動伝達系４２は、駆動切り換え機構４４から得られるモータ４０の駆動を展開ローラ２７に伝達する。クロー駆動伝達系４３は、展開ローラ２７から得られる駆動を利用してクロー部材を一往復スライド移動させる。
【００２３】
駆動切り換え機構４４は、太陽歯車４５、２つの遊星歯車４６，４７、及び腕板４８とで構成されている。太陽歯車４５には、モータ４０からの駆動が伝達される。腕板４８は、くの字状となっており、その屈曲部が太陽歯車４５の中心軸に回動自在に取り付けられている。２つの遊星歯車４６，４７は、太陽歯車４５に噛合してその周りを公転しながら自転するように腕板４８の両端にそれぞれ取り付けられている。
【００２４】
モータ４０が正転駆動すると、太陽歯車４５が同図に示す時計方向に回転し、腕板４８が一方の遊星歯車４６をローラ駆動伝達系４２のギヤー４２ａから離し、他方の遊星歯車４７をレンズ駆動伝達系４１のギヤー４１ａに噛合させるレンズ駆動系伝達位置に回転する。また、モータ４０が逆転駆動すると、太陽歯車４５が同図に示す反時計方向に回転し、腕板４８が他方の遊星歯車４７をレンズ駆動伝達系４１のギヤー４１ａから離し、一方の遊星歯車４６をローラ駆動伝達系４２のギヤー４２ａに噛合させるローラ駆動系伝達位置に切り換わる。
【００２５】
腕板４８には、押圧部５０が形成されている。押圧部５０は、フイルムパック収納室１６の内部に設けられた清掃ボタン５１によって操作されたときに押圧される。腕板４８は、押圧部５０が清掃ボタン５１で押されることで、ローラ駆動系伝達位置に回転される。
【００２６】
また、清掃ボタン５１の背後には、清掃ボタン５１の押し操作を検知してモータ４０を正転駆動させるスイッチ部材５２が配置されている。スイッチ部材５２は、清掃ボタン５１の押し操作を検知することに応答してモータ４０を正転駆動させる信号を出力し、また、清掃ボタン５１の押し操作が終了することに応答してモータ４０の駆動を停止する停止信号を出力する。なお、清掃ボタン５１は、バネにより復帰位置に向けて付勢されている。
【００２７】
清掃ボタン５１を押し操作すると、腕板４８が太陽歯車４５の回転方向とは逆の方向に向けて強制的に回転され、モータ４０の駆動がローラ駆動伝達系４２に伝達されるとともに、このときモータ４０の駆動が正転駆動であるため、展開ローラ２７がフイルムユニット２１を展開する方向とは逆に回転する。ローラ駆動伝達系４２とクロー駆動伝達系４３との間には、一方向クラッチ５３が介在されている。一方向クラッチ５３は、展開ローラ２７がフイルムユニット２１を展開する回転方向の駆動をクロー駆動伝達系４３に伝達し、これとは逆の回転駆動をクロー駆動伝達系４３に伝達しない。
【００２８】
モータ４０の駆動は、ドライバー５５を介して制御部５６により制御される。制御部５６には、シャッタボタン７、スイッチ部材５２、裏蓋開閉スイッチ５７、及び電源ボタン１０等からの操作信号が入力されるとともに、クロー検知機構５８やレンズ位置検出機構５９等からの信号も入力される。クロー検知機構５８は、クロー部材が一往復スライド移動したことを検知して制御部５６にスタート位置に戻った旨の信号を送る。レンズ位置検出機構５９は、レンズ移動機構２８の沈胴位置と撮影位置との状態をそれぞれ検出してそれぞれの位置でモータ４０の停止信号を送出する。
【００２９】
裏蓋開閉スイッチ５７は、裏蓋１９が開かれたのを検知してその旨を制御部５６に伝達する。制御部５６は、裏蓋１９が開かれると、フイルムカウンタ機構のカウント値をクリアするとともに、電源ボタン１０をＯＮにすることで実行される通常の撮影シーケンスとは別のシーケンスを実行する。このシーケンスは、電源ボタン１０をＯＮしなくても、清掃ボタン５１の押し操作に応答してモータ４０を正転駆動する。
【００３０】
次に、上記実施形態の作用について説明する。インスタントカメラ２の不使用状態は、レンズ移動機構２８が沈胴位置の状態となっている。このため、カメラボディの前面が略フラットになり、携帯し易くなる。撮影を行う際には、裏蓋１９を開けてフイルムパック１５を装填する。フイルムパック１５を装填すると、図６に示すように、清掃ボタン５１がフイルムパック１５で隠される。
【００３１】
次に、電源ボタン１０を操作してインスタントカメラ２の電源をオンする。電源ボタン１０がＯＮにされると、制御部５６は、これに応答してモータ４０を正転駆動する。モータ４０の駆動は駆動切り換え機構４４の太陽歯車４５に伝達され、太陽歯車４５が時計方向に回転する。太陽歯車４５が時計方向に回転すると、腕板４８が太陽歯車４５と同じ方向に回転するため、一方の遊星歯車４６がローラ駆動伝達系４２のギヤー４２ａから離れ、他方の遊星歯車４７がレンズ駆動伝達系４１のギヤー４１ａに噛合するレンズ駆動系伝達位置に切り換わる。これにより、モータ４０の正転駆動がレンズ駆動伝達系４１に伝達される。
【００３２】
駆動筒２９にモータ４０の駆動が伝達されると、駆動筒２９と一緒に中間筒３１が回転する。中間筒３１は、回転しながら、固定カム筒３０のカム溝３５の変位に沿って移動する。中間筒３１の回転により、そのカム溝３１ａの変位と直進ガイド部材３０ａとの作用により移動筒３２が回転止めされた状態で移動する。中間筒３１及び移動筒３２が突出位置に移動すると、撮影レンズ５が所定の被写体距離に合焦した状態となる。制御部５６は、レンズ位置検出機構５９から得られる信号を監視しており、中間筒３１又は移動筒３２のうちの何れか一方の突出位置を検出したときに送出される停止信号を受けとることでモータ４０の正転駆動を停止する。
【００３３】
撮影は、ファインダで撮影範囲を確認し、シャッタボタン７を押し込む。これにより、測光が行われ、その測光値に基づいて移動筒３２に組み込まれたシャッタ機構が動作する。また、被写体の輝度が低い場合には、ストロボ発光窓８から被写体に向けて自動的にストロボ光が発光される。撮影レンズ５を透過した被写体光は、露光開口２５を通ってフイルムユニット２１の露光面２２に露光される。なお、本実施形態のインスタントカメラは、移動筒３２に組み込んだ固定絞りと撮影レンズ５の短焦点距離とでパンフォーカスを達成しているから、ピント合わせが不要となっている。
【００３４】
制御部５６は、シャッタ機構からレリーズ動作完了信号を受け取った後に、モータ４０を逆転駆動させる。モータ４０が逆転駆動すると、図７に示すように、太陽歯車４５が反時計方向に回転され、腕板４８も同じ方向に回転する。腕板４８が反時計方向に回転すると、他方の遊星歯車４７がレンズ駆動伝達系４１のギヤー４１ａから離れ、一方の遊星歯車４６がローラ駆動伝達系４２のギヤー４２ａに噛合するローラ駆動系伝達位置に切り換わる。これにより、モータ４０の逆転駆動がローラ駆動伝達系４２に伝達される。また、一方向クラッチ５３は、展開ローラ２７を介してモータ４０の逆転駆動をクロー駆動伝達系４３に伝達する。
【００３５】
クロー駆動伝達系４３は、モータ４０からの駆動を利用してクロー部材を一往復スライド移動させて、ケース２０の被写体側にあるフイルムユニット２１を上方のフイルム出口２６に向けて掻き出す。フイルム出口２６から送り出されたフイルムユニット２１は、回転する展開ローラ２７にニップされ、上方のフイルム排出口１２に向けて搬送される。
【００３６】
この搬送中にフイルムユニット２１の現像処理液ポッド２３は、一対の展開ローラ２７の押圧によって裂開する。裂開した現像処理液ポッド２３から流れ出た現像処理液は、展開ローラ２７の押圧によって下方の露光面２２に展開されながら、フイルム排出口１２を通ってインスタントカメラ２の外部に向けて排出される。クロー部材の一往復のスライド移動は、ローラ駆動伝達系４３の駆動よりも先に停止する。制御部５０は、フイルムユニット２１の全部が外部に排出されるに相当する時間だけモータ４０を逆転駆動し、フイルムユニット２１の全部が外部に排出された時点でモータ４０の逆転駆動を停止する。
【００３７】
撮影を終了するときには、電源スイッチをＯＦＦに操作する。電源ボタン１０がＯＦＦに操作されると、制御部５６は、これに応答してモータ４０を正転駆動する。このモータ４０の駆動は駆動切り換え機構４４の太陽歯車４５に伝達され、太陽歯車４５が時計方向に回転する。腕板４８も太陽歯車４５と同じ方向に回転するため、モータ４０の正転駆動がレンズ駆動伝達系４１に伝達される。
【００３８】
レンズ駆動伝達系４１にモータ４０の駆動が伝達されると、駆動筒２９が回転し、この駆動が中間筒３１に伝達される。中間筒３１が所定回転することでカム溝３５、カム溝３１ａ、及び直進ガイド部材３０ａの作用により中間筒３１と移動筒３２とがそれぞれ後退してレンズ移動機構２８が沈胴位置となる。制御部５６は、レンズ位置検出機構５９から得られる信号を監視しており、中間筒３１又は移動筒３２のうちの何れか一方の沈胴位置を検出したときに送出される停止信号を受けとることでモータ４０の正転駆動を停止する。これにより、インスタントカメラは、図３に示したように不使用状態となる。
【００３９】
次に、展開ローラ２７の清掃を行う場合について説明する。展開ローラ２７を清掃する場合には、フイルムパック１５をフイルムパック収納室１６に装填していないときに行う。清掃ボタン５１は、図８に示すように、裏蓋１９を開けることで裏蓋１９に対峙する面に露呈されている。裏蓋１９を開けると、裏蓋開閉スイッチ５７により裏蓋１９が開いたことが検知され、その旨が制御部５６に伝達される。制御部５６は、裏蓋１９が開いたことを認識すると、電源ボタン１０をＯＮにしなくても、清掃ボタン５１の押し操作に応答してモータ４０の正転駆動を有効にする。
【００４０】
清掃ボタン５１を押す操作を行うと、スイッチ部材５２がＯＮになり、モータ４０が正転駆動して太陽歯車４５が時計方向に回転する。このとき、腕板４８は、押圧部５０が清掃ボタン５１に押圧され、太陽歯車４５とは逆の回転方向、すなわち図８に示す反時計方向に強制的に回転させられる。これにより、モータ４０の正転駆動は、ローラ駆動伝達系４２に伝達され、一対の展開ローラ２７がフイルムユニット２１の現像処理液を展開する方向とは逆方向に回転する。
【００４１】
一対の展開ローラ２７は、フイルムパック収納室１６の内部の上面にローラ面が露呈され、しかも展開ローラ２７がフイルムユニット２１をフイルムパック収納室１６に向けて排出する方向に回転しているから、清掃用具を押し付けて一対の展開ローラ２７を清掃しても巻き込まれる恐れがない。なお、一方向クラッチ５３の作用によりこのときの展開ローラ２７の駆動がクロー駆動伝達系４３に伝達されることはない。
【００４２】
図９は、特公平３−７２９７５号公報に記載された展延制御部材７０をインスタントカメラに設け、展開ローラ２７と展延制御部材７０との位置関係を常に一定として、安定した効果で現像処理液の展延を制御するようにした他の例である。
【００４３】
フイルム出口２６に対峙する本体基部１７には、展延制御部材７０が設けられている。展延制御部材７０の先端部は、フイルムユニット２１の背面に傷を付けないように円弧形状とされている。また、先端部は、フイルム出口２６よりもインスタントカメラ２の前面側にずらして配置して、フイルム出口２６から展開ローラ２７に通じる間口を狭くしている。このため、フイルムパック１５から排出されるフイルムユニット２１をその間口に導くために展延制御部材７０の先端部には、斜面が形成され、先細りの形状とされている。展延制御部材７０の先端は、フイルムパック１５から排出されるフイルムユニット２１の背面を擦る。これにより、フイルムユニット２１は、展延制御部材７０の先端で背面が擦られることで僅かにＳ字状に沿って搬送され、現像処理液ポッド２３から露光面２２に流し込まれた現像処理液の展延が制御される。
【００４４】
展延制御部材７０を設けたインスタントカメラ２の場合、フイルムパック収納室１６の側から見ると、展延制御部材７０が展開ローラ２７を覆っていて間口が狭くて清掃することができない。そこで、展開ローラ２７を清掃する場合には、図１０に示すように、展延制御部材７０をネジ又はピン止めにて取り外し自在に設け、展延制御部材７０を取り外して行うようにすればよい。この場合には、フイルムパック収納室１６の内部側から展延制御部材７０を取り外すことができるように構成すればよい。
【００４５】
上記実施形態では、清掃ボタン５１をフイルムパック収納室１６の内部に設けているが、本発明ではこに限らず、カメラボディの外部に設けてもよい。また、鏡筒としては、移動筒３２と中間筒３１とを繰り出す二段構成の構造としているが、一段構成にしてもよい。
【００４６】
上記実施形態のレンズ移動機構２８は、移動筒３２を突出位置に移動することで撮影レンズ５を所定の被写体距離に合焦させて、この位置だけで撮影を行うようにしているが、本発明では撮影を行う位置を１つに限らず、複数としてもよい。この場合には、例えば沈胴位置と突出位置との間で移動筒３２を移動させるカム溝３１ａの軌跡上に、遠距離合焦位置を設け、遠距離にある被写体の場合には外部操作により突出位置から遠距離合焦位置に移動筒を移動させ、遠距離の被写体に合焦させるようにしてもよい。
【００４７】
【発明の効果】
以上説明したように、本発明のインスタントカメラは、単一のモータの一方向への駆動が伝達されたときにはローラ駆動系伝達位置に切り換わり、また、モータの他方向への駆動が伝達されたときにはレンズ駆動系伝達位置に切り換わるとともに、モータから伝達される駆動方向に係わらず外部操作可能に設けた操作部の操作に連係してローラ駆動系伝達位置に切り換わる駆動切り換え機構を備えたから、単一のモータの駆動を利用してレンズ駆動、展開ローラの正転駆動、及び展開ローラの逆転駆動とをそれぞれ択一的に選択できるようになり、ローコスト化及びコンパクト化を図ることができる。
【図面の簡単な説明】
【図１】本発明のインスタントカメラの駆動系の概略を示した斜視図である。
【図２】インスタントカメラの外観を示す斜視図である。
【図３】インスタントカメラの断面図である。
【図４】インスタントカメラの鏡筒を示す分解斜視図である。
【図５】固定カム筒の展開図である。
【図６】駆動切り換え機構をレンズ駆動系伝達位置に切り換えた状態を示す要部断面図である。
【図７】駆動切り換え機構をローラ駆動系伝達位置に切り換えた状態を示す要部断面図である。
【図８】清掃ボタンを押し操作中の状態を示す要部断面図である。
【図９】展延制御部材を設けたインスタントカメラの他の例を示す要部断面図である。
【図１０】展開ローラを清掃するために展延制御部材を取り外した状態を示す要部断面図である。
【符号の説明】
２  インスタントカメラ
１５  フイルムパック
１６  フイルムパック収納室
１９  裏蓋
２０  ケース
２１  フイルムユニット
２７  一対の展開ローラ
４１  レンズ駆動伝達系
４２  ローラ駆動伝達系
４３  クロー駆動伝達系
４４  駆動切り換え機構
７０  展延制御部材
【図１】
0003903081.tif 000002
【図２】
0003903081.tif 000003
【図３】
0003903081.tif 000004
【図４】
0003903081.tif 000005
【図５】
0003903081.tif 000006
【図６】
0003903081.tif 000007
【図７】
0003903081.tif 000008
【図８】
0003903081.tif 000009
【図９】
0003903081.tif 000010
【図１０】
0003903081.tif 000011